(57)【要約】【課題】  設置の安定性が高く軽量化が可能な境界標識杭を提供する。【解決手段】  棒状の杭本体２と、杭本体２の長手方向の任意の位置に取付可能な安定具３とを備える。境界標識杭１を設置した状態では、地中Ｇ３内の安定具３の水平板部３ａの板面が、杭本体２の引き抜き方向に対して垂直に位置し、安定具３の垂直板部３ｂの板面が、杭本体２の横方向に対して垂直に位置する。このため、杭本体２を引き抜く力や横方向からの力に対して安定具３が対抗し、境界標識杭１の設置安定性が高くなる。【選択図】  図４
2008215909.tif 000002
【特許請求の範囲】
【請求項１】
土地の境界範囲を示すために設置される境界標識杭であって、
棒状で一端部がとがっている杭本体と、
板状で前記杭本体の長手方向の任意の位置に取付可能で、前記杭本体に取り付けた際に前記杭本体の長手方向に対してほぼ垂直に位置する安定具と、を備えることを特徴とする境界標識杭。
【請求項２】
前記安定具は、前記杭本体の断面外形とほぼ同外形の挿入孔を有し、この挿入孔に前記杭本体が挿入された状態で前記杭本体の任意の位置に取り付けられ、前記杭本体に取り付けられた状態で前記杭本体の長手方向に沿って延びる板状の抵抗部を有することを特徴とする請求項１に記載の境界標識杭。
【請求項３】
土地の境界範囲を示すために設置される棒状の境界標識杭を安定させるための境界標識杭用安定具であって、
板状で前記境界標識杭の長手方向の任意の位置に取付可能で、前記境界標識杭に取り付けた際に前記境界標識杭の長手方向に対してほぼ垂直に位置することを特徴とする境界標識杭用安定具。
【請求項４】
前記境界標識杭の断面外形とほぼ同外形の挿入孔を有し、この挿入孔に前記境界標識杭が挿入された状態で前記境界標識杭の任意の位置に取り付けられ、前記境界標識杭に取り付けられた状態で前記境界標識杭の長手方向に沿って延びる板状の抵抗部を有することを特徴とする請求項３に記載の境界標識杭用安定具。
【請求項５】
土地の境界範囲を示すために棒状の境界標識杭を設置する境界標識杭の設置方法であって、
地面を掘って窪みを作り、
地面から上部が突出するように前記境界標識杭を前記窪みから地中に打ち込み、
前記窪み内に位置する前記境界標識杭に、この境界標識杭の長手方向に対してほぼ垂直に位置するように板状の安定具を取り付け、
前記窪みに埋設材を埋めて前記安定具を埋設することを特徴とする境界標識杭の設置方法。
【発明の詳細な説明】
【技術分野】
【０００１】
この発明は、土地の境界範囲を示すために設置される境界標識杭および、境界標識杭用安定具、境界標識杭の設置方法に関する。
【背景技術】
【０００２】
土地の境界範囲を示すために設置される境界標識として、コンクリート製のものが知られている。この境界標識は、例えば水平部と垂直部とからなるＴ字形で、Ｔ字を逆さにして水平部と垂直部の一部とを地中に埋設し、垂直部の上端部を地上に突出させて設置するものである。このようなコンクリート製の境界標識は、堅牢で設置安定性に優れているが、重量物であり、また地面を広く掘って埋設しなければならない。このため、運搬や設置に多くの労力と時間とを要し、山間部などに設置する場合には、特に労力と時間とを要する。
【０００３】
このため、プラスチック製の境界標識杭が知られている（例えば、特許文献１参照。）。この境界標識杭は、プラスチック製の棒状の杭であるため、軽量で運搬や取り扱いが容易であるとともに、地中に打ち込むことで容易に設置できる、というものである。
【特許文献１】特開２００６−３４３２６６号公報
【発明の開示】
【発明が解決しようとする課題】
【０００４】
ところで、境界標識は土地の境界範囲を示すものであるため、設置の安定性が強く要求される。つまり、設置する土地がどのような地質であっても、容易に傾いたり抜けたり、あるいは移動したりしないことが要求される。しかしながら、上記のようなプラスチック製の境界標識杭では、棒状の杭で接地面積が小さくしかも軽量であるため、土地の地質や外力の方向などによっては、容易に傾いたり抜けたりするおそれがある。その結果、隣接する土地の所有者などと、境界範囲をめぐってトラブルになるおそれがある。
【０００５】
そこでこの発明は、設置の安定性が高く軽量化が可能な境界標識杭、境界標識杭用安定具および境界標識杭の設置方法を提供することを目的とする。
【課題を解決するための手段】
【０００６】
上記目的を達成するために請求項１に記載の発明は、土地の境界範囲を示すために設置される境界標識杭であって、棒状で一端部がとがっている杭本体と、板状で前記杭本体の長手方向の任意の位置に取付可能で、前記杭本体に取り付けた際に前記杭本体の長手方向に対してほぼ垂直に位置する安定具と、を備えることを特徴とする。
（作用）
杭本体に安定具を取り付け、例えば、杭本体を地中に垂直に打ち込んで安定具を地中に埋設した状態では、板状の安定具が水平面上に位置する。つまり、杭本体の長手方向である引き抜き方向に対して、安定具が垂直に位置する。
【０００７】
請求項２に記載の発明は、請求項１に記載の境界標識杭において、前記安定具は、前記杭本体の断面外形とほぼ同外形の挿入孔を有し、この挿入孔に前記杭本体が挿入された状態で前記杭本体の任意の位置に取り付けられ、前記杭本体に取り付けられた状態で前記杭本体の長手方向に沿って延びる板状の抵抗部を有することを特徴とする。
（作用）
例えば、杭本体を地中に垂直に打ち込んで安定具を地中に埋設した状態では、板状の抵抗部が垂直面上に位置する。つまり、杭本体の長手方向と垂直な方向である横方向に対して、抵抗部が垂直に位置する。
【０００８】
請求項３に記載の発明は、土地の境界範囲を示すために設置される棒状の境界標識杭を安定させるための境界標識杭用安定具であって、板状で前記境界標識杭の長手方向の任意の位置に取付可能で、前記境界標識杭に取り付けた際に前記境界標識杭の長手方向に対してほぼ垂直に位置することを特徴とする。
（作用）
境界標識杭にこの安定具を取り付け、例えば、境界標識杭を地中に垂直に打ち込んで安定具を地中に埋設した状態では、板状の安定具が水平面上に位置する。つまり、境界標識杭の長手方向である引き抜き方向に対して、安定具が垂直に位置する。
【０００９】
請求項４に記載の発明は、請求項３に記載の境界標識杭用安定具において、前記境界標識杭の断面外形とほぼ同外形の挿入孔を有し、この挿入孔に前記境界標識杭が挿入された状態で前記境界標識杭の任意の位置に取り付けられ、前記境界標識杭に取り付けられた状態で前記境界標識杭の長手方向に沿って延びる板状の抵抗部を有することを特徴とする。
（作用）
例えば、境界標識杭を地中に垂直に打ち込んで安定具を地中に埋設した状態では、板状の抵抗部が垂直面上に位置する。つまり、境界標識杭の長手方向と垂直な方向である横方向に対して、抵抗部が垂直に位置する。
【００１０】
請求項５に記載の発明は、土地の境界範囲を示すために棒状の境界標識杭を設置する境界標識杭の設置方法であって、地面を掘って窪みを作り、地面から上部が突出するように前記境界標識杭を前記窪みから地中に打ち込み、前記窪み内に位置する前記境界標識杭に、この境界標識杭の長手方向に対してほぼ垂直に位置するように板状の安定具を取り付け、前記窪みに埋設材を埋めて前記安定具を埋設することを特徴とする。
【発明の効果】
【００１１】
請求項１、３および５に記載の発明によれば、安定具を地中に埋設した状態では、杭本体（境界標識杭）の引き抜き方向に対して、板状の安定具（境界標識杭用安定具）が垂直に位置する。このため、杭本体を引き抜く力に対して安定具が対抗（抵抗）し、抵抗力が増して杭本体の設置安定性が高くなる。この結果、杭本体をプラスチック製などとして軽量化しても、容易に傾いたり抜けたりすることがなく、境界範囲をめぐってのトラブルを防止できる。さらに、請求項３に記載の発明によれば、既存のプラスチック製の境界標識杭に境界標識杭用安定具を取り付けることで、境界標識杭の設置安定性を高くすることができる。つまり、既存の境界標識杭を有効に活用して、その設置安定性を高くすることができる。
【００１２】
また、安定具を杭本体の任意の位置に取付可能なため、杭本体の長さや設置する土地の地質などに応じて、安定具を適正な位置に取り付けることで、杭本体の設置の安定性をより高めることが可能となる。さらに、安定具が板状という簡単な形状であるため、容易かつ安価に製造することができるとともに、杭本体に安定具を取り付けて安定具を埋設するだけであるため、設置作業が極めて容易となる。
【００１３】
請求項２および４に記載の発明によれば、安定具を地中に埋設した状態では、杭本体（境界標識杭）の横方向に対して、安定具の抵抗部が垂直に位置する。このため、杭本体の横方向からの力に対して抵抗部が対抗し、抵抗力がさらに増して杭本体の設置安定性がより高くなる。また、安定具の挿入孔に杭本体が挿入された状態で安定具が杭本体に取り付けられるため、安定具の取付安定性が高まり、杭本体と安定具とが一体化し、杭本体の設置安定性がより高くなる。
【発明を実施するための最良の形態】
【００１４】
以下、この発明を図示の実施の形態に基づいて説明する。
【００１５】
（実施の形態１）
図１は、この実施の形態に係る境界標識杭１を示す正面図である。この境界標識杭１は、土地の境界範囲を示すために設置される杭であって、主として、杭本体２と安定具３とを備えている。
【００１６】
杭本体２は、断面形状が略正方形のプラスチック製の棒体で、一端部である先端部２ａが４角錐状にとがっている。また、他端部である上端部２ｂが、後述するようにして地面Ｇ１から突出し、標識部となるものである。
【００１７】
安定具３は、耐食性の高いステンレス鋼板製やアルミニウム合金板製などの板状部材で、図２に示すように、長方形の水平板部３ａと、この水平板部３ａの一端部から垂直下方に曲げられた垂直板部（抵抗部）３ｂとを有している。水平板部３ａの他端部には、杭本体２の断面外形とほぼ同外形（略正方形）の挿入孔３ｃが形成され、この挿入孔３ｃに杭本体２をほぼ隙間なく挿入できるようになっている。さらに、挿入孔３ｃの垂直板部３ｂ側の縁から、水平板部３ａに対して垂直上方に延びる取付板部３ｄが形成され、この取付板部３ｄの中央部にビス挿入孔３ｅが形成されている。
【００１８】
このような安定具３を杭本体２に取り付けるには、安定具３の挿入孔３ｃに杭本体２を挿入した状態で、杭本体２の長手方向に沿って安定具３を移動させる。そして、任意（所望）の位置でビス挿入孔３ｅにビス４を挿入して、ビス４を杭本体２に締め付ける。これにより、安定具３を杭本体２の長手方向の任意の位置に取り付けることができるものである。また、このようにして取り付けた状態では、安定具３の水平板部３ａの板面が、杭本体２の長手方向に対して垂直に位置し、垂直板部３ｂの板面が、杭本体２の長手方向に沿って延びる（長手方向に平行になる）ものである。
【００１９】
次に、このような構成の境界標識杭１を設置する設置方法について説明する。
【００２０】
まず、図３（ａ）に示すように、境界標識杭１を設置する場所の地面Ｇ１を掘って、窪みＧ２を作る。ここで、窪みＧ２の大きさ（水平方向の断面積）は、安定具３を収容でき、かつ作業がしやすい程度の大きさとし、窪みＧ２の深さは、後述するように安定具３が窪みＧ２内に位置する程度とする。次に、上記のようにして安定具３を杭本体２の所望の位置に取り付けた状態の境界標識杭１を、図３（ｂ）に示すように、地中Ｇ３に打ち込む。すなわち、杭本体２の先端部２ａを窪みＧ２の所定の位置に位置させ、杭本体２の上端部２ｂの地面Ｇ１からの突出高さが所定の高さになるまで、杭本体２を窪みＧ２から地中Ｇ３に打ち込む。
【００２１】
このようにして境界標識杭１を打ち込んだ状態で、安定具３が窪みＧ２内に位置する。また、この実施の形態では、安定具３を杭本体２に取り付けた後に境界標識杭１を地中Ｇ３に打ち込んでいるが、次のようにしてもよい。すなわち、安定具３を取り付ける前に杭本体２のみを地中Ｇ３に打ち込み、その後、安定具３が窪みＧ２内に位置するように、安定具３を杭本体２に取り付けてもよい。
【００２２】
続いて、図３（ｃ）に示すように、窪みＧ２に土砂などの埋設材Ｇ４を埋めて、杭本体２の窪みＧ２側と安定具３とを埋設する。そして、埋設材Ｇ４の上面を踏み固めて、地面Ｇ１と面一（同一平面）にする。これにより、杭本体２の上端部２ｂが地面Ｇ１から所定の高さだけ突出し、境界範囲を示す標識となる。
【００２３】
以上のように、この境界標識杭１および設置方法によれば、境界標識杭１を設置した状態では、図４に示すように、地中Ｇ３内の安定具３の水平板部３ａの板面が、杭本体２の長手方向、つまり杭本体２の引き抜き方向に対して垂直に位置する。このため、杭本体２を引き抜く力に対して水平板部３ａが対抗（抵抗）し、抵抗力が増して境界標識杭１（杭本体２）の設置安定性が高くなる。さらに、地中Ｇ３内の安定具３の垂直板部３ｂの板面が、杭本体２の長手方向と垂直な方向である横方向に対して垂直に位置する。このため、杭本体２の横方向からの力、つまり杭本体２を倒そうとする力に対して垂直板部３ｂが対抗し、抵抗力がさらに増して境界標識杭１の設置安定性がより高くなる。しかも、安定具３の挿入孔３ｃに杭本体２が挿入された状態で安定具３が杭本体２に取り付けられているため、安定具３の取付安定性が高まり、杭本体２と安定具３とが一体化し、境界標識杭１の設置安定性がさらに高くなる。これらの結果、杭本体２が軽量なプラスチック製であっても、容易に傾いたり抜けたりすることがなく、境界範囲をめぐってのトラブルを防止できるものである。
【００２４】
また、安定具３を杭本体２の任意の位置に取付可能なため、杭本体２の長さや設置する土地の地質などに応じて、安定具３を適正な位置に取り付けることで、境界標識杭１の設置安定性をより高めることが可能となる。さらに、安定具３が略Ｌ字形の板状部材という簡単な形状、構造であるため、容易かつ安価に製造することができる。しかも、安定具３を収容できる程度の窪みＧ２を作り、杭本体２に安定具３を取り付けて安定具３を埋設するだけでよいため、設置作業が極めて容易となる。
【００２５】
ところで、この実施の形態では、杭本体２と安定具３とを備えた全体を境界標識杭１としているが、杭本体２のみを境界標識杭とし、安定具３をその付属部材としてもよい。つまり、例えば、杭本体２を従来からある既存（既製）のプラスチック製の境界標識杭とし、この境界標識杭に境界標識杭用安定具としての安定具３を取り付けてもよい。これにより、既存の境界標識杭の設置安定性を高くすることができる。つまり、既存の境界標識杭を有効に活用して、その設置安定性を高くすることができる。
【００２６】
（実施の形態２）
図５は、この実施の形態に係る境界標識杭１１を示す平面図（ａ）と一部正面図（ｂ）である。この実施の形態および後述する実施の形態３では、安定具１３、２３の形状が実施の形態１と異なり、実施の形態１と同等の構成については同一符号を付して説明する。
【００２７】
この実施の形態における安定具１３は、長方形の水平板部１３ａと、この水平板部１３ａの長手方向の両端部から垂直下方に曲げられた垂直板部（抵抗部）１３ｂとを有している。水平板部１３ａの中央部には、杭本体２の断面外形とほぼ同外形の挿入孔１３ｃが形成され、この挿入孔１３ｃの垂直板部１３ｂ側の両縁から、垂直上方に延びる取付板部１３ｄが形成されている。
【００２８】
このような境界標識杭１１を実施の形態１と同様にして設置した状態では、杭本体２の両側に安定具１３の水平板部１３ａと垂直板部１３ｂとが位置する。すなわち、杭本体２を引き抜く力に対して両側の水平板部１３ａが対抗し、杭本体２の横方向からの力に対して２つの垂直板部１３ｂが対抗する。このため、抵抗力がより増して境界標識杭１１の設置安定性がより高くなる。
【００２９】
（実施の形態３）
図６は、この実施の形態に係る境界標識杭２１を示す平面図（ａ）と一部正面図（ｂ）である。この実施の形態における安定具２３は、Ｌ字形の水平板部２３ａと、この水平板部２３ａの両端部から垂直下方に曲げられた垂直板部（抵抗部）２３ｂ、２３ｃとを有している。水平板部２３ａの中央部（角部）には、杭本体２の断面外形とほぼ同外形の挿入孔２３ｄが形成され、この挿入孔２３ｄの垂直板部２３ｂ、２３ｃ側の両縁から、垂直上方に延びる取付板部２３ｅが形成されている。
【００３０】
このような境界標識杭２１を実施の形態１と同様にして設置した状態では、杭本体２を中心にして安定具２３の垂直板部２３ｂ、２３ｃが直角（９０度）に位置する。そして、図中Ａ方向から杭本体２にかかる力に対して一方の垂直板部２３ｂが対抗し、図中Ｂ方向から杭本体２にかかる力に対して他方の垂直板部２３ｃが対抗する。このため、例えば図７に示すように、この境界標識杭２１を境界範囲Ｇ５内の角部に設置することで、境界標識杭２１（杭本体２）が境界範囲Ｇ５外に傾いたり移動したりするのを強固に防止することができる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、杭本体２に１つの安定具１３を取り付けているが、杭本体２の長さや設置する土地の地質、あるいは設置位置などに応じて、安定具１３を複数取り付けてもよい。例えば、図８に示すように、実施の形態１に係る安定具３と実施の形態２に係る安定具１３とを、平面形状がＴ字状になるように取り付けて、杭本体２が境界範囲Ｇ５外に傾いたり移動したりするのをより強固に防止するようにしてもよい。また、実施の形態１に係る２つの安定具３を平面形状がＬ字形になるように取り付けて、実施の形態３と同様な効果を得るようにしてもよい。
【図面の簡単な説明】
【００３２】
【図１】この発明の実施の形態１に係る境界標識杭を示す正面図である。
【図２】図１の境界標識杭の安定具を示す平面図（ａ）と正面図（ｂ）である。
【図３】図１の境界標識杭を設置する工程を示す図であり、（ａ）は地面を掘って窪みを作った状態を示し、（ｂ）は杭本体を窪みから地中に打ち込んだ状態を示し、（ｃ）は窪みに埋設材を埋めた状態を示す。
【図４】図１の境界標識杭の設置状態を示す斜視図である。
【図５】この発明の実施の形態２に係る境界標識杭を示す平面図（ａ）と一部正面図（ｂ）である。
【図６】この発明の実施の形態３に係る境界標識杭を示す平面図（ａ）と一部正面図（ｂ）である。
【図７】図６の境界標識杭を設置した状態を示す平面図である。
【図８】この発明の他の形態の境界標識杭を設置した状態を示す平面図である。
【符号の説明】
【００３３】
１        境界標識杭
２        杭本体（境界標識杭）
２ａ      先端部
２ｂ      上端部
３        安定具（境界標識杭用安定具）
３ａ      水平板部
３ｂ      垂直板部（抵抗部）
３ｃ      挿入孔
３ｄ      取付板部
４        ビス
１１      境界標識杭
１３      安定具
２１      境界標識杭
２３      安定具
Ｇ１      地面
Ｇ２      窪み
Ｇ３      地中
Ｇ４      埋設材
Ｇ５      境界範囲
【図１】
2008215909.tif 000003
【図２】
2008215909.tif 000004
【図３】
2008215909.tif 000005
【図４】
2008215909.tif 000006
【図５】
2008215909.tif 000007
【図６】
2008215909.tif 000008
【図７】
2008215909.tif 000009
【図８】
2008215909.tif 000010